【手続補正書】
【提出日】平成18年11月9日(2006.11.9)
【手続補正１】
【補正対象書類名】特許請求の範囲
【補正対象項目名】全文
【補正方法】変更
【補正の内容】
【特許請求の範囲】
【請求項１】
電源及び外部テレビアンテナを接続する壁面設置型の浴室用テレビ受像装置であって、
浴室外に設置した外部入力端子と有線接続され、該外部入力端子に接続された外部機器からの映像音声信号を入力する外部入力手段と、
この外部入力手段より入力される映像音声信号と上記外部テレビアンテナで受信したテレビ電波から復調する映像音声信号の一方を切換選択する選択手段と、
上記外部入力手段に接続される外部機器のリモコンのキー操作に対応したリモコンコード信号を記憶したリモコンコード記憶手段と、
上記外部機器の動作を指示する外部機器指示手段と、
この外部機器指示手段での指示内容に対応して上記リモコンコード記憶手段からリモコンコード信号を読出し、上記外部入力端子までの接続有線に対して発信する第１の発信手段と、
この第１の発信手段により上記接続有線から外部入力端子を介して発信されてきたリモコンコード信号に基づいて、上記外部入力端子に接続された外部機器に対する赤外光信号を発信する第２の発信手段と
を具備したことを特徴とする浴室用テレビ受像装置。
【請求項２】
電源及び外部テレビアンテナを接続する壁面設置型の浴室用テレビ受像装置であって、
浴室外に設置した外部入力端子と有線接続され、該外部入力端子に接続された外部機器からの映像音声信号を入力する外部入力手段と、
この外部入力手段より入力される映像音声信号と上記外部テレビアンテナで受信したテレビ電波から復調する映像音声信号の一方を切換選択する選択手段と、
このテレビ受像装置と上記外部機器の操作を兼ねたキー入力手段と、
上記外部機器の電源投入状態を検出した際に上記キー入力手段の操作により上記外部機器の動作を指示する外部機器指示手段と、
この外部機器指示手段での指示内容に対応して上記外部機器の操作信号を上記接続有線を介して上記外部入力端子に接続された当該外部機器まで発信する発信手段と
を具備したことを特徴とする浴室用テレビ受像装置。
【請求項３】
電源及び外部テレビアンテナを接続する壁面設置型の浴室用テレビ受像装置であって、
浴室外に設置した外部入力端子と有線接続され、該外部入力端子に接続された外部機器からの映像音声信号を入力する外部入力手段と、
この外部入力手段より入力される映像音声信号と上記外部テレビアンテナで受信したテレビ電波から復調する映像音声信号の一方を切換選択する選択手段と、
このテレビ受像装置と上記外部機器の操作を兼ねたキー入力手段と、
上記選択手段で外部入力手段からの映像音声信号を切換選択している状態で上記キー入力手段が操作された場合に、上記外部機器の動作を指示する外部機器指示手段と、
この外部機器指示手段での指示内容に対応して上記外部機器の操作信号を上記接続有線を介して上記外部入力端子に接続された当該外部機器まで発信する発信手段と
を具備したことを特徴とする浴室用テレビ受像装置。
【請求項４】
電源及び外部テレビアンテナを接続する壁面設置型の浴室用テレビ受像装置であって、
浴室外に設置した外部入力端子と有線接続され、該外部入力端子に接続された外部機器からの映像音声信号を入力する外部入力手段と、
この外部入力手段より入力される映像音声信号と上記外部テレビアンテナで受信したテレビ電波から復調する映像音声信号の一方を切換選択する選択手段と、
上記選択手段で外部入力手段からの映像音声信号を切換選択した場合に上記外部機器の電源投入を指示し、装置の電源切断に伴って上記外部機器の電源切断を指示する外部機器電源指示手段と、
この外部機器電源指示手段に対応して上記外部機器の電源投入信号及び電源切断信号を上記接続有線を介して上記外部入力端子に接続された当該外部機器まで発信する発信手段と
を具備したことを特徴とする浴室用テレビ受像装置。
【請求項５】
電源及び外部テレビアンテナを接続する壁面設置型の浴室用テレビ受像装置であって、
浴室外に設置した外部入力端子と有線接続され、該外部入力端子に接続された外部機器からの映像音声信号を入力する外部入力手段と、
上記外部入力端子に接続する外部機器を複数候補の中から選択する選択手段と、
このテレビ受像装置と上記外部機器の操作を兼ねたキー入力手段と、
複数の外部機器のキー操作に対応した操作信号を記憶した操作信号記憶手段と、
上記キー入力手段での操作と上記選択手段で選択した外部機器とに対応して上記操作信号記憶手段から操作信号を読出し、上記接続有線を介して上記外部入力端子に接続された当該外部機器まで発信する発信手段と
を具備したことを特徴とする浴室用テレビ受像装置。
【請求項６】
上記選択手段で選択した外部機器の情報を装置の電源切断後も記憶する外部機器記憶手段をさらに具備し、
上記発信手段は、この外部機器記憶手段に記憶された外部機器の情報に基づいて上記操作信号記憶手段から対応する操作信号を読出して発信する
ことを特徴とする請求項５記載の浴室用テレビ受像装置。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】変更
【補正の内容】
【００１２】
請求項１記載の発明は、電源及び外部テレビアンテナを接続する壁面設置型の浴室用テレビ受像装置であって、浴室外に設置した外部入力端子と有線接続され、該外部入力端子に接続された外部機器からの映像音声信号を入力する外部入力手段と、この外部入力手段より入力される映像音声信号と上記外部テレビアンテナで受信したテレビ電波から復調する映像音声信号の一方を切換選択する選択手段と、上記外部入力手段に接続される外部機器のリモコンのキー操作に対応したリモコンコード信号を記憶したリモコンコード記憶手段と、上記外部機器の動作を指示する外部機器指示手段と、この外部機器指示手段での指示内容に対応して上記リモコンコード記憶手段からリモコンコード信号を読出し、上記外部入力端子までの接続有線に対して発信する第１の発信手段と、この第１の発信手段により上記接続有線から外部入力端子を介して発信されてきたリモコンコード信号に基づいて、上記外部入力端子に接続された外部機器に対する赤外光信号を発信する第２の発信手段とを具備したことを特徴とする。
【手続補正６】
【補正対象書類名】明細書
【補正対象項目名】００１３
【補正方法】変更
【補正の内容】
【００１３】
請求項２記載の発明は、電源及び外部テレビアンテナを接続する壁面設置型の浴室用テレビ受像装置であって、浴室外に設置した外部入力端子と有線接続され、該外部入力端子に接続された外部機器からの映像音声信号を入力する外部入力手段と、この外部入力手段より入力される映像音声信号と上記外部テレビアンテナで受信したテレビ電波から復調する映像音声信号の一方を切換選択する選択手段と、このテレビ受像装置と上記外部機器の操作を兼ねたキー入力手段と、上記外部機器の電源投入状態を検出した際に上記キー入力手段の操作により上記外部機器の動作を指示する外部機器指示手段と、この外部機器指示手段での指示内容に対応して上記外部機器の操作信号を上記接続有線を介して上記外部入力端子に接続された当該外部機器まで発信する発信手段とを具備したことを特徴とする。
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】変更
【補正の内容】
【００１６】
請求項３記載の発明は、電源及び外部テレビアンテナを接続する壁面設置型の浴室用テレビ受像装置であって、浴室外に設置した外部入力端子と有線接続され、該外部入力端子に接続された外部機器からの映像音声信号を入力する外部入力手段と、この外部入力手段より入力される映像音声信号と上記外部テレビアンテナで受信したテレビ電波から復調する映像音声信号の一方を切換選択する選択手段と、このテレビ受像装置と上記外部機器の操作を兼ねたキー入力手段と、上記選択手段で外部入力手段からの映像音声信号を切換選択している状態で上記キー入力手段が操作された場合に、上記外部機器の動作を指示する外部機器指示手段と、この外部機器指示手段での指示内容に対応して上記外部機器の操作信号を上記接続有線を介して上記外部入力端子に接続された当該外部機器まで発信する発信手段とを具備したことを特徴とする。
【手続補正１０】
【補正対象書類名】明細書
【補正対象項目名】００１７
【補正方法】変更
【補正の内容】
【００１７】
請求項４記載の発明は、電源及び外部テレビアンテナを接続する壁面設置型の浴室用テレビ受像装置であって、浴室外に設置した外部入力端子と有線接続され、該外部入力端子に接続された外部機器からの映像音声信号を入力する外部入力手段と、この外部入力手段より入力される映像音声信号と上記外部テレビアンテナで受信したテレビ電波から復調する映像音声信号の一方を切換選択する選択手段と、上記選択手段で外部入力手段からの映像音声信号を切換選択した場合に上記外部機器の電源投入を指示し、装置の電源切断に伴って上記外部機器の電源切断を指示する外部機器電源指示手段と、この外部機器電源指示手段に対応して上記外部機器の電源投入信号及び電源切断信号を上記接続有線を介して上記外部入力端子に接続された当該外部機器まで発信する発信手段とを具備したことを特徴とする。
【手続補正１１】
【補正対象書類名】明細書
【補正対象項目名】００１８
【補正方法】変更
【補正の内容】
【００１８】
請求項５記載の発明は、電源及び外部テレビアンテナを接続する壁面設置型の浴室用テレビ受像装置であって、浴室外に設置した外部入力端子と有線接続され、該外部入力端子に接続された外部機器からの映像音声信号を入力する外部入力手段と、上記外部入力端子に接続する外部機器を複数候補の中から選択する選択手段と、このテレビ受像装置と上記外部機器の操作を兼ねたキー入力手段と、複数の外部機器のキー操作に対応した操作信号を記憶した操作信号記憶手段と、上記キー入力手段での操作と上記選択手段で選択した外部機器とに対応して上記操作信号記憶手段から操作信号を読出し、上記接続有線を介して上記外部入力端子に接続された当該外部機器まで発信する発信手段とを具備したことを特徴とする。
【手続補正１２】
【補正対象書類名】明細書
【補正対象項目名】００１９
【補正方法】変更
【補正の内容】
【００１９】
請求項６記載の発明は、上記請求項５記載の発明において、上記選択手段で選択した外部機器の情報を装置の電源切断後も記憶する外部機器記憶手段をさらに具備し、上記発信手段は、この外部機器記憶手段に記憶された外部機器の情報に基づいて上記操作信号記憶手段から対応する操作信号を読出して発信することを特徴とする。
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】変更
【補正の内容】
【００２４】
請求項１記載の発明によれば、装置側のリモコンまたは装置本体のキーを操作することで外部機器も遠隔操作することができ、且つ外部機器を遠隔操作させるためのリモコンコード信号は映像音声信号を入力する接続有線を介して発信されるため、装置と外部機器とを接続する制御線等を必要とせず、全体の構成を簡略化できる。
【手続補正１８】
【補正対象書類名】明細書
【補正対象項目名】００２５
【補正方法】変更
【補正の内容】
【００２５】
請求項２記載の発明によれば、外部機器が電源投入されている状態では兼用キーの操作により外部機器の動作を遠隔制御可能とし、且つ外部機器を遠隔制御させるための操作信号は例えば印加する直流電圧値により動作を制御するものとして映像音声信号を入力する接続有線を介して発信されるため、装置と外部機器とを接続する制御線等も不要となり、全体の構成を簡略化できる。
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】変更
【補正の内容】
【００２８】
請求項３記載の発明によれば、外部機器から供給されている映像音声信号を視聴する選択がなされている状態では兼用キーの操作により外部機器の動作を遠隔制御可能とし、且つ外部機器を遠隔制御させるための操作信号は例えば印加する直流電圧値により動作を制御するものとして映像音声信号を入力する接続有線を介して発信されるため、装置と外部機器とを接続する制御線等も不要となり、全体の構成を簡略化できる。
【手続補正２２】
【補正対象書類名】明細書
【補正対象項目名】００２９
【補正方法】変更
【補正の内容】
【００２９】
請求項４記載の発明によれば、外部機器から供給されている映像音声信号を視聴する選択がなされた時点で自動的に外部機器の電源を投入し、また装置の電源を切断した時点で外部機器の電源も連動して切断するものとしたため、必要に応じて外部機器の電源投入と切断を自動化することができ、ユーザの手間を省いてより使い勝手を向上することができると共に、外部機器の電源を制御する信号は映像音声信号を入力する接続有線を介して発信されるため、装置と外部機器とを接続する制御線等も不要となり、全体の構成を簡略化できる。
【手続補正２３】
【補正対象書類名】明細書
【補正対象項目名】００３０
【補正方法】変更
【補正の内容】
【００３０】
請求項５記載の発明によれば、予め設定された複数の外部機器の１つを選択しておくことで、その選択した外部機器から映像音声信号が供給されている状態では兼用キーの操作により外部機器の動作を遠隔制御可能とし、且つ外部機器を遠隔制御させるための操作信号は例えば印加する直流電圧値により動作を制御するものとして映像音声信号を入力する接続有線を介して発信されるため、装置と外部機器とを接続する制御線等も不要となり、全体の構成を簡略化できる。
【手続補正２４】
【補正対象書類名】明細書
【補正対象項目名】００３１
【補正方法】変更
【補正の内容】
【００３１】
請求項６記載の発明によれば、上記請求項５記載の発明の効果に加えて、一度外部機器を選択してしまえば２度目以降からその手間を簡略化でき、より使い勝手を向上することができる。
【手続補正２５】
【補正対象書類名】明細書
【補正対象項目名】００３２
【補正方法】削除
【補正の内容】